(57)【特許請求の範囲】
【請求項１】
ケーブルタイにおいて、
第一の端部及び自由端部を有するストラップであって、ストラップの長手方向枢軸に沿って自由端部まで伸びる薄厚部分を画成する所定の幅の中央の内方に突出する溝を有する前記ストラップと、
ストラップの第一の端部に固着された係止ヘッドであって、端部壁と、内壁と、ヘッドにストラップ挿入通路を画成する側壁とを有し、ストラップ挿入通路が、ストラップの入口端部と、ストラップの出口端部と、端部壁及び内壁の間に画成された通路幅Ｗ1とを有する、前記係止ヘッドと、
係止ヘッドの内壁からストラップ挿入通路内に突出する支持ガイドであって、ストラップ挿入通路の幅方向に伸びる棚状突起の面を有し、ストラップ挿入通路の幅をＷ1よりも狭い幅Ｗ2に制限し、ストラップの内方に突出する溝の所定の幅よりも狭いストラップ挿入通路の幅と交差する方向に幅を有する前記支持ガイドと、
係止ヘッドの端部壁の係止装置スロットに固定された固定端部と、ストラップ挿入通路内に配置された自由端部とを有する、金属製係止装置とを備え、
自由端部がＷ2よりも長い長さＬを有し、
支持ガイド及び内方に突出する溝が、合わさってストラップをストラップ挿入通路内で中心決めするのを助ける、ケーブルタイ。
【請求項２】
請求項１のケーブルタイにおいて、
ケーブルタイを締め付けたとき、金属製係止装置がストラップの薄厚部分を完全に突刺すことができる、ケーブルタイ。
【請求項３】
請求項２のケーブルタイにおいて、
金属製係止装置がストラップを完全に突刺したとき、金属製係止装置は固定端部にて支持され、且つ棚状突起の面により自由端部にて支持される状態となる、ケーブルタイ。
【請求項４】
請求項１のケーブルタイにおいて、
ストラップ挿入通路のストラップの入口端部における支持ガイドの前縁が、ストラップ挿入通路に向かって凸形である、ケーブルタイ。
【請求項５】
請求項１のケーブルタイにおいて、
内方に突出する溝がストラップの第一の端部付近で幅が拡がる、ケーブルタイ。
【請求項６】
請求項５のケーブルタイにおいて、
内方に突出する溝がストラップの第一の端部にてＶ字形となるようにテーパーが付けられ、第一の端部におけるストラップの可撓性を増す、薄厚化程度の増した領域を提供する、ケーブルタイ。
【請求項７】
請求項１のケーブルタイにおいて、
ストラップがストラップの取り付け枢軸を有し、ストラップ挿入通路が該枢軸に対して平行である、ケーブルタイ。
【請求項８】
請求項７のケーブルタイにおいて、
ストラップの第一の端部がストラップの取り付け枢軸に対して垂直に曲げられる、ケーブルタイ。
【請求項９】
請求項１のケーブルタイにおいて、
ストラップがストラップの取り付け枢軸を有し、ストラップ挿入通路が該枢軸に対して垂直である、ケーブルタイ。
【請求項１０】
請求項１のケーブルタイにおいて、
長さＬがＷ1以下である、ケーブルタイ。
【請求項１１】
ケーブルタイにおいて、
第一の端部及び自由端部を有するストラップであって、ストラップの長手方向枢軸に沿って自由端部まで伸びる薄厚部分を画成する所定の幅の中央の内方に突出する溝を有する前記ストラップと、
枢軸Ｓに沿ってストラップの第一の端部に固着された係止ヘッドであって、端部壁と、内壁と、ヘッドにストラップ挿入通路を画成する側壁とを有し、ストラップ挿入通路が、枢軸Ｓに対し平行であり且つストラップの入口端部と、ストラップの出口端部と、端部壁及び内壁の間に画成された通路幅Ｗ1とを有する、前記係止ヘッドと、
係止ヘッドの内壁からストラップ挿入通路内に突出する支持ガイドであって、ストラップ挿入通路の幅方向に伸びる棚状突起の面を有し、ストラップ挿入通路の幅をＷ1よりも狭い幅Ｗ2に制限し、ストラップの内方に突出する溝の所定の幅よりも狭いストラップ挿入通路の幅と交差する方向に幅を有する前記支持ガイドと、
係止ヘッドの端部壁の係止装置スロットに固定された固定端部と、ストラップ挿入通路内に配置された自由端部とを有する、金属製係止装置とを備え、
自由端部がＷ2よりも長い長さＬを有し、
支持ガイド及び内方に突出する溝が、合わさってストラップをストラップ挿入通路内で中心決めするのを助ける、ケーブルタイ。
【請求項１２】
請求項１１のケーブルタイにおいて、
長さＬがＷ1以下である、ケーブルタイ。
【請求項１３】
請求項１のケーブルタイを使用して物品を結束する方法において、
ケーブルタイを物品の周りに配置するステップと、
ストラップの自由端部をストラップ挿入通路のストラップ入口端部内に且つ金属製係止装置の自由端部を越えて挿入するステップと、
ケーブルタイが物品の周りで緊張状態となる迄、ストラップの自由端部をストラップ挿入通路を通じて挿入するステップとを備える、方法。
【請求項１４】
請求項１３の方法において、
ストラップをストラップ挿入通路のストラップ入口端部から引出す作用を果たす外し力をケーブルタイに加え、この力により金属製係止装置の自由端部がストラップ挿入通路のストラップ入口端部に向けて撓み、ストラップを完全に突刺し且つ金属製係止装置の自由端部を支持ガイドの棚状突起に対して休止させ得るようにすることによりケーブルタイを所要位置に係止するステップを更に備える、方法。
【請求項１５】
請求項１のケーブルタイにおいて、
ストラップ挿入通路のストラップの入口端部における支持ガイドの前縁が、円弧状である、ケーブルタイ。
【発明の詳細な説明】
【０００１】
【発明の属する技術分野】
本発明は、全体として、改良された係止構造体を有する低挿入力の２部分型ケーブルタイに関する。より具体的には、ストラップ挿入通路には、突き出す支持ガイドが設けられ、係止装置は、ストラップを完全に突刺して係止装置の自由端部が突き出す支持ガイドに支持されるようにすることができる寸法とされ、このことは低挿入力を実現しつつ、外れに対する抵抗力を増大させることになる。
【０００２】
【従来の技術】
金属製係止装置の挿入体を有するプラスチックケーブルタイが当該技術分野にて周知である。その例は、マリアニの米国特許第３，４５７，５９８号、及びバーナード等の米国特許第５，５１７，７２７号を含む。
【０００３】
この型式のケーブルタイは、ケーブルタイヘッドのストラップを挿入通路内にある角度にて部分的に固着された金属製係止装置を備えている。金属製係止装置は、ケーブルタイストラップを挿入方向に向けて挿入することを許容するが、取り外し方向に引張ったとき、係止装置がストラップと係合して外れるのを防止することを許容する角度にて配置されている。かかる従来のケーブルタイの金属製係止装置は、一端にて固定され且つ自由端部にてストラップ受け入れ通路内に伸びる片持ち梁の形態をしている。
【０００４】
【発明が解決しようとする課題】
その係止強度を保ちつつ容易に使用できるケーブルタイを備えることが常に望ましい特徴である。係止力を増大させるための１つの選択は、係止装置の厚さを増すことであった。しかし、このことは、ケーブルタイを取り付けるのに必要な挿入力に望ましくない悪影響を与えることが判明している。その逆もまた真であり、挿入力を減少させようとする試みの結果、より薄い厚さの金属製係止装置が使用されることになり、この装置は、挿入力を減少させるが、ケーブルタイの係止力を低下させるという望ましくない効果がある。
【０００５】
このように、低挿入力を実現しつつ、外れに対するより優れた抵抗力を提供することができる改良された係止装置が必要とされている。
また、特に、係止ヘッド付近にてケーブルタイストラップのより大きい可撓性を有する改良されたケーブルタイも必要とされている。
【０００６】
このため、本発明の１つの目的は、改良された保持強度及び低挿入力を有する金属製係止装置を使用するケーブルタイを提供することである。
本発明の別の目的は、ケーブルタイの外れに対する抵抗力を増し得るように、完全に係合したとき、片持ち状梁から簡単な梁支持体に変換する係止装置を備える２部分型ケーブルタイを提供することである。
【０００７】
本発明の別の目的は、ケーブルタイの強度を必然的に低下させ又は損なうことなく、係止ヘッド付近でストラップの増大した可撓性を有する２部分型ケーブルタイを提供することである。
【０００８】
【課題を解決するための手段】
第一の端部及び自由端部を有するストラップと、ストラップ挿入通路を有する係止ヘッドと、取り付けた端部が係止ヘッドの端部壁に固定され、自由端部がストラップ受け入れ通路内に配置された片持ち梁を形成し得るようヘッドの固着領域内に取り付けられた金属製係止装置とを備えるケーブルタイにより、上記及びその他の目的が実現される。ストラップは、該ストラップの長手方向枢軸に沿ってストラップの自由端部まで伸びる薄厚部分を画成する所定の幅の内方に突き出す中央溝を有している。ストラップを挿入する通路は端部壁と内壁との間に画成された通路幅Ｗ1を有している。ストラップ挿入通路はまた、係止ヘッドの内壁からストラップ挿入通路まで突き出して、ストラップ挿入通路の幅をＷ1よりも狭い幅Ｗ2に制限する支持ガイドも備えている。金属製係止ヘッドの自由端部はＷ2よりも長い長さＬを有している。支持ガイドは、ストラップの突き出し溝の所定の幅よりも狭いストラップ挿入通路の幅と交差する方向に幅を有する。支持ガイドはまた、係止装置が十分な引出し力により下方に曲げられたとき、係止装置を片持ち状支持体を有するものから簡単な梁支持体を有するものに変換させる金属製係止装置に対する支持面を提供する棚状突起も備えている。この引出し力は、係止装置がストラップの薄厚部分を完全に突刺すのに十分であり、このことは、係止装置の自由端部が棚状突起上に休止することを許容する。
【０００９】
本発明はまた、ケーブルタイを物品の周りに配置することと、ストラップの自由端部をストラップ挿入通路のストラップ入口端部内に且つ金属製係止装置の自由端部を越えて挿入することと、ケーブルが物品の周りで緊張する迄、ストラップの自由端部をストラップ挿入通路を通じて供給することとにより物品を結束する方法をも提供する。ストラップをストラップ挿入通路のストラップ入口端部から引出す作用を果たす取り外し力をケーブルタイに加え、この力により金属製係止装置の自由端部がストラップ挿入通路のストラップ入口端部に向けて撓み、ストラップを完全に突刺し且つ金属製係止装置の自由端部を支持ガイドの棚状突起に対して休止させることによりケーブルタイを係止することができる。
【００１０】
本発明はまた、動作の大きい自由度を許容する薄厚部分を提供すべく拡大した幅の溝を有するストラップの一端部を係止ヘッドに隣接して形成することにより、ケーブルタイストラップの可撓性を増大させる。
【００１１】
【発明の実施の形態】
本発明のケーブルタイ１００を図１乃至図１７に基づいて説明する。ケーブルタイ１００は係止ヘッド１０２と、ストラップ１０４とを有している。ケーブルタイ１００は当該技術分野で既知の色々な材料から製造することができる。適宜な材料は、一例として、ナイロン、ポリプロピレン及び色々なフルオロポリマーを含む。ケーブルタイ１００は、当該技術分野にて同様に既知であるように、特定の適用例に合うように色々な寸法及び長さにて形成することができる。勿論、ストラップ、係止ヘッド及びその他の構成部品の寸法を選ぶとき、所望の曲げ引張り強度が１つのファクタとなる。
【００１２】
ストラップ１０４には、内面にて長手方向に伸びる中央溝１１０と、選択的に、前端の外面にて長手方向に伸びる中央スロット１０６とが設けられている（図６Ａ及び図６Ｂ参照）。中央溝１１０は、ストラップの長さの大分部に亙って一定の断面であることが好ましい。しかし、１つの好ましい実施の形態において、中央溝１１０は、図１及び図２に最も良く図示するように、Ｖ字形溝１２０を提供する等により拡大した幅を形成し得るように係止ヘッド１０２に隣接するストラップの端部にてテーパーが付けられている。ストラップ１０４はまた、ストラップ１０４の角度付きで且つテーパーを付けた前端部１１２の外面に標準的な把持リッジ１０８を有することも好ましい（図３参照）。
【００１３】
係止ヘッド１０２は、ストラップ挿入通路１２２と、係止装置の挿入キャビティ１８０とを有している。ストラップ挿入通路１２２はストラップ１０４の前端部１１２を受け入れる。ストラップ挿入通路１２２は、ストラップ１０４が最初に挿入されるストラップの入口端部１６８及びストラップの出口端部１６６を有している（図３参照）。図５に最も良く図示するように、ストラップ挿入通路１２２は、端部壁１２４、内壁１２６及び側壁１２８により形成される（図５参照）。図７及び図８に最も良く図示するように、ストラップ挿入通路１２２は幅Ｗ1を有している。支持ガイド１１４が狭小な通路幅Ｗ2を画成し得るよう内壁１２６から突き出している。支持ガイド１１４は、その重要性に関して以下に説明する棚状突起１１６を有している。
【００１４】
固定端部１３４と、ストラップ挿入キャビティ１２２内に伸びる自由端部１３８とを有する片持ち状梁構造体を画成し得るように金属製係止装置１３６を端部壁１２４内に部分的に固着すべく端部壁１２４の定着領域にアクセスすることを許容する金属製係止装置の挿入キャビティ１８０が設けられている。金属製係止装置の挿入キャビティ１８０は係止装置１３６が動くことをも許容する。支持スロット１３０が表面に選択的に予め形成され、又は固定端部１３４の端部壁１２４の表面内に固着する結果としてそれ自体として形成される。
【００１５】
金属製係止装置は、当該技術分野で既知のステンレス鋼のような耐食性金属で製造することが好ましい。金属製係止装置１３６は従来の直線状の形態をとることができるが、自由端部１３８が固定端部１３４に対して所定の角度で曲がるように曲げることが好ましい。固定端部がストラップ挿入通路１２２の枢軸に対し実質的に平行であることも好ましい。何れの場合でも、自由端部１３８は、ストラップの出口端部１６６に面するストラップ挿入通路１２２の枢軸に対し鋭角な角度にてストラップ挿入通路内に伸びている。
【００１６】
片持ち状の金属製係止装置１３６は、端部壁１２４の上端縁１４２に画成された支点を有している。支持ガイド１１４の棚状突起１１６は、ストラップ挿入通路に対し実質的に垂直に伸びており且つ金属製係止装置１３６の支点から横断するように配置されている。棚状突起１１６は上端縁１４２と同一の位置又はそれようも僅かにより上方にあるようにすることができるが、棚状突起１１６は、以下に説明する理由のため、上端縁１４２から僅かに下方にあることが好ましい。金属製係止装置１３６は支点から自由端部１３８まで画成されて、幅Ｗ2よりも広い自由長さＬを有している。棚状突起１１６が上端縁１４２の高さにあり又はそれよりも僅かに下方にある好ましい実施の形態において、長さＬはＷ2＜Ｌ＜＜Ｗ1の基準値に適合することが好ましい。この実施の形態において、ＬがＷ1よりも長いならば、自由端部１３８は内壁１２６に接触し、棚状突起１１６に達することはできない。しかし、内壁１２６との接触が許容され、また、棚状突起１１６と組み合わせて金属製係止装置１３６の両端部を支持することができるならば、Ｗ1よりも長い長さを使用することができる。これと代替的に、棚状突起１１６が上端縁１４２の僅かに上方に配置されているとき、Ｗ1よりも長い長さＬを使用してもよい。
【００１７】
内面における中央溝１１０及び外面における選択的な中央スロット１０６は係止装置１３６と相互作用する薄厚部分を形成する。中央溝１１０は支持ガイド１１４を跨ぎ、また、この中央溝はストラップ１０４をストラップ挿入通路１２２を通じて整合させ且つ案内するために使用することができる。最小抵抗状態にて案内することを更に助けるべく支持ガイド１１４の前端を図示するようにテーパーを付け又は円弧状にすることができる。
【００１８】
ケーブルタイ１００は、例えば、図３及び図７にて、ストラップがヘッドに取り付けられる領域により画成されたものとして示した、ストラップの取り付け枢軸Ｓに対し実質的に平行なストラップ挿入通路を有する係止ヘッドと、ストラップの枢軸Ｓから約９０°曲げられたストラップを備えるものとして図示されているが、ケーブルタイはかかる形態に限定されるものではなく、その他の形態をとることができる。例えば、ケーブルタイ１００はストラップの取り付け枢軸Ｓに沿って続けて伸びる直線状のストラップを備えることができる。更に、ケーブルタイ１００は、ストラップの取り付け枢軸Ｓに対して直角のストラップ挿入通路を有するバーナードの米国特許第５，５１７，７２７号に図示されるようなより従来通りの直角の係止ヘッドを備えることもできる。
【００１９】
本発明に係るケーブルタイの使用方法を図９乃至図１７に基づいて説明する。図９には、ストラップ１０４の前端部１１２をストラップ挿入通路１２２の前端部１６８内に最初に挿入する状態が図示されている。図示するように、前端部１１２は広範囲の入口角度に亙って挿入することができる。前端部１１２がストラップ挿入通路１２２のストラップ出口端部１６６を越えて伸び始める間に、図１０及び図１１に図示するように挿入が続行される。かかる時点にて、ユーザは前端部１１２を把持し且つ引張ることにより、ストラップをストラップ挿入通路を通じて押す操作からストラップをストラップ挿入通路を通じて引張る操作に切り換えることができる。図１１に最も良く図示するように、ストラップ１０４は、支持ガイド１１４の周りで中央溝１１０を合わせることにより、ストラップ挿入通路内で自動整合される。
【００２０】
図１２及び図１３に図示するように、ストラップ１０４がケーブル束１７０のような拘束すべき物品の周りで十分な緊張状態となる迄、ケーブルタイを更に締め付ける。前端部１１２を挿入し且つ更に締め付ける間、金属の弾性及び片持ち状の設計のため、金属製係止装置１３６の自由端部１３８は、片持ち状支点１４２から金属製係止装置の挿入キャビティ１８０内に撓む。しかし、以下により詳細に説明する理由のため、金属製係止装置１３６の厚さは、特定の適用例に対し従来の設計よりも薄くすることができ、このことは、ケーブルの挿入力を更に減少させることを許容することになる。
【００２１】
ストラップを解放し又はストラップを引出す力を加えることを通じて、金属製係止装置１３６の自由端部１３８の鋭角な部分は、図２に図示するようにストラップ１０４を突刺し始め、金属製係止装置１３６の自由端部１３８は端部壁１２４に対して後方に撓む。十分な強さの力を続けて加えると、最終的に係止装置１３６がストラップ１０４の薄厚部分を完全に突刺す迄、自由端部１３８は支点１４２の周りで更に撓む。従来、ストラップを完全に突刺すことは望ましくないと考えられていたが、かかる場合、支持ガイド１１４及び棚状突起１１６を提供することにより、曲げ引張り強度を増大させることが実現可能であることが分かった。すなわち、ストラップ１０４を完全に突刺したとき、自由端部１３８は更に曲げた際、最終的に、図１６及び図１７に図示するように、棚状突起１１６上に休止する。この時点で、金属製係止装置１３６は、支点１４２を張出させる自由端部１３８を有する片持ち状の支持状態から内面１２４の上端縁により棚状突起１１６及び支点１４２に提供される支持力により両端部１３４、１３８が支持される簡単な梁構造体に変換する。図１６に最も良く図示するように、金属製係止装置が係止作用する間、自由端部１３８に作用する撓み力の結果、支点の上端縁１４２が部分的に圧縮され又は撓む。従って、棚状突起１１６は非係止状態にあるとき（図９に図示するような）、上端縁の高さよりも僅かに下方に配置され、完全に撓んだとき、支点１４２が棚状突起１１６と実質的に平らになるようにする（図１６に図示するように）ことが好ましい。かかる支持構造体により、金属製係止装置１３６は、簡単な片持ち構造体を使用して実現されるよりもより大きい荷重を取り扱うことができる。従って、所定の寸法の金属製係止装置に対し実現可能な曲げ引張り強度を増すことができる。このように、所望の曲げ強度を得るため、薄厚化した金属製係止装置を使用することができ、このことは、ケーブルの挿入力を減少させるという更なる利点をもたらす。
【００２２】
図１６に図示した実施の形態において、自由端部１３８の長さＬはＷ2よりも長く且つＷ1よりも短く又はＷ1に等しく、自由端部が棚状突起に接触することを可能にする。しかし、棚状突起１１６を支点１４２の僅かに上方に配置し、自由端部が最終的に休止するとき、僅かに上方に角度が付けられるようにすること等により、Ｗ1よりも僅かに長い自由端部１３８の長さＬも使用可能である。これと代替的に、次善の好ましい実施の形態において、金属製係止装置の両端の支持は、Ｗ1よりも長い長さＬによって実現し、これにより、自由端部が内壁１２６と干渉するようにしてもよい。しかし、このことは、棚状突起１１６により実現される力と同一の保持力を実現することはできない。
【００２３】
多くの適用例において、金属製係止装置１３６の保持力ではなくて、ストラップ１０４の性質により最大の曲げ引張り強度が決定される。この強度はストラップ１０４の突刺した部分を破断させるのに必要な力によって決定されよう。
【００２４】
ケーブルタイの曲げ引張り強度は、ストラップ１０４を完全に突刺す点であるその最弱体な接続部と同程度の強さに過ぎないから、ケーブルのその他の領域は過剰設計の強度から弱体な接続部の強度に近い強度までその強度を低下させることができ、その他の望ましい有利な点を実現することが可能である。その１つの特定領域は、ストラップ１０４の端部が係止ヘッド１０２に取り付けられる取り付け領域である。中央溝１１０が一定幅のままであるならば、この端部は望ましくない程に剛性となるであろう。しかし、端部付近の溝の幅を拡げることにより、薄厚領域を増すことが可能となり、このことは、取り付け箇所にてケーブルストラップの可撓性を増大させることを可能にする。このことは、この部分の強度がケーブルタイの弱体な接続部を上廻る限り、性能を何ら損なうことなく実現可能な望ましい特徴である。かかる端部は、溝にテーパーを付けられる、図示したようなＶ字形溝の形状１２０を有することが好ましい。
【００２５】
上記に概説した特定の実施の形態に関して本発明のシステムを説明したが、当該技術分野の当業者には多くの代替例、改変例及び変更が可能であることが明らかである。従って、これらの一例としての実施の形態は、説明のためであり、非限定的なものであることを意図するものである。本発明の精神及び範囲から逸脱せずに色々な変更を加えることができる。
【図面の簡単な説明】
【図１】本発明によるケーブルタイの底部斜視図である。
【図２】本発明によるケーブルタイの底面図である。
【図３】線３−３に沿った図２のケーブルタイの断面図である。
【図４】線４−４に沿った図３のケーブルタイの係止ヘッドの断面図である。
【図５】線５−５に沿った図３の係止ヘッドの断面図である。
【図６】６Ａは、図３の線６ａ−６ａに沿った本発明の第一の実施の形態によるケーブルタイのストラップの断面図である。
６Ｂは、図３の線６ｂ−６ｂに沿った本発明の第二の実施の形態によるケーブルタイのストラップの自由端部の断面図である。
【図７】図３の係止ヘッドの拡大図である。
【図８】線８−８に沿った図７の係止ヘッドの断面図である。
【図９】ストラップをストラップ挿入通路内に最初に供給する状態を示す、ケーブルタイの断面図である。
【図１０】ストラップの前端が係止装置を通過した中間の送り込み位置を示す、ケーブルタイの断面図である。
【図１１】線１１−１１に沿った図１０の係止ヘッド及びストラップの断面図である。
【図１２】ストラップがストラップ挿入通路を通じて送り込み方向に依然として供給される更なる送り込み位置にあるケーブルタイの断面図である。
【図１３】線１３−１３に沿った図１２の係止ヘッド及びストラップの断面図である。
【図１４】ストラップが完全に挿入され且つストラップが逆方向に部分的に引込められた後で、係止装置が下方に曲げられ且つケーブルタイの外れに抵抗し得るようにストラップに部分的に突刺した状態にある、ケーブルタイの断面図である。
【図１５】線１５−１５に沿った図１４の係止ヘッド及びストラップの断面図である。
【図１６】ストラップを完全に突刺し得るように係止装置が完全に曲げられ、その前端の自由端部がストラップ挿入通路内で棚状突起上に支持された後のケーブルタイの断面図である。
【図１７】線１７−１７に沿った図１６の係止ヘッド及びストラップの断面図である。
【符号の説明】
１００  ケーブルタイ              １０２  係止ヘッド
１０４  ストラップ                １０６  中央スロット
１０８  把持リッジ                １１０  中央溝
１１２  ストラップの前端部        １１４  支持ガイド
１１６  棚状突起                  １２０  Ｖ字形溝
１２２  ストラップ挿入通路／ストラップ挿入キャビティ
１２４  端部壁／内面              １２６  内壁
１２８  側壁                      １３０  支持スロット
１３４  固定端部                  １３６  金属製係止装置
１３８  自由端部                  １４２  端部壁の上端縁／片持ち状支点
１６６  ストラップの出口端部
１６８  ストラップの入口端部／ストラップ挿入通路の前端部
１７０  ケーブル束
１８０  金属製係止装置の挿入キャビティ
【図１】
0004283493.tif 000002
【図２】
0004283493.tif 000003
【図３】
0004283493.tif 000004
【図４】
0004283493.tif 000005
【図５】
0004283493.tif 000006
【図６】
0004283493.tif 000007
【図７】
0004283493.tif 000008
【図８】
0004283493.tif 000009
【図９】
0004283493.tif 000010
【図１０】
0004283493.tif 000011
【図１１】
0004283493.tif 000012
【図１２】
0004283493.tif 000013
【図１３】
0004283493.tif 000014
【図１４】
0004283493.tif 000015
【図１５】
0004283493.tif 000016
【図１６】
0004283493.tif 000017
【図１７】
0004283493.tif 000018